(57)【要約】【課題】ブラシホルダの組み付けを容易に行うことができるモータの給電部構造を提供する。【解決手段】内周面１１ｅに磁石１２を固着した円筒状のヨーク１１と、このヨーク１１の開口端１１ｃに固定され、給電用の相手カプラ４０が嵌合されるカプラ受け部１７を有したカバー１５と、このカバー１５内に収納されるブラシホルダ３０と、このブラシホルダ３０に設けられ、カバー１５のカプラ受け部１７内に配置されるターミナル３６とを備えたモータ１０の給電部構造において、ブラシホルダ３０は、ブラシを保持するホルダ本体３１と、ターミナル３６をカプラ受け部１７内に配置する端子保持部３２とを有し、ホルダ本体３１をヨーク１１とカバー１５との間に挾持固定した。【選択図】図１
2007252105.tif 000002
【特許請求の範囲】
【請求項１】
内周面に磁石を固着した筒状のヨークと、このヨークの開口端に固定され、給電用の相手カプラが嵌合されるカプラ受け部を有したケースと、このケース内に収納されるブラシホルダと、このブラシホルダに設けられ、前記ケースのカプラ受け部内に配置されるターミナルとを備えたモータの給電部構造において、
前記ブラシホルダは、ブラシを保持するホルダ本体と、前記ターミナルを前記カプラ受け部内に配置する端子保持部とを有し、前記ホルダ本体を前記ヨークと前記ケースとの間に挾持固定したことを特徴とするモータの給電部構造。
【請求項２】
請求項１記載のモータの給電部構造であって、
前記ブラシホルダの端子保持部に係止部を形成し、この係止部を前記ケースのカプラ受け部の係合部に係止したことを特徴とするモータの給電部構造。
【請求項３】
請求項１ないし２記載のモータの給電構部造であって、
前記端子保持部に支持されたターミナルの前記ケースのカプラ受け部の底部側を前記ブラシホルダの端子保持部の端面より外側に露出させ、このターミナルの露出部を前記ケースのカプラ受け部の底部に当接したことを特徴とするモータの給電部構造。
【発明の詳細な説明】
【技術分野】
【０００１】
本発明は、例えば、シートをスライドさせる駆動源としてのシートモータに用いて好適なモータの給電部構造に関する。
【背景技術】
【０００２】
この種のモータの給電部構造として、図８〜図１０に示すものがある（例えば、特許文献１参照。）。
【０００３】
このモータ１は、図８〜図１０に示すように、内周面２ａに永久磁石３を固着した金属製で筒状のヨーク２と、このヨーク２の開口端側のフランジ部２ｂにネジ４Ａで締結固定され、給電用の相手カプラ９が嵌合されるカプラ受け部５ａを有した合成樹脂製のケース５と、このケース５内に収納される合成樹脂製のブラシホルダ６と、このブラシホルダ６の貫通孔６ａに相対向するように取り付けられた一対のブラシ７，７と、上記ブラシホルダ６の端子支持部６ｂに取り付けられ、ケース５のカプラ受け部５ａ内に配置される一対のターミナル８，８とを備えている。また、図９に示すように、ブラシホルダ６はケース５にネジ４Ｂを介して締結固定されている。
【０００４】
【特許文献１】特開２００３−１８７９０号公報
【発明の開示】
【発明が解決しようとする課題】
【０００５】
しかしながら、前記従来のモータ１の給電部構造では、ブラシホルダ６をケース５にネジ４Ｂを介して締結固定する必要があるため、ケース５へのブラシホルダ６の組み付け作業が煩雑であった。
【０００６】
そこで、本発明は、前記した課題を解決すべくなされたものであり、ブラシホルダの組み付けを容易に行うことができるモータの給電部構造を提供することを目的とする。
【課題を解決するための手段】
【０００７】
請求項１の発明は、内周面に磁石を固着した筒状のヨークと、このヨークの開口端に固定され、給電用の相手カプラが嵌合されるカプラ受け部を有したケースと、このケース内に収納されるブラシホルダと、このブラシホルダに設けられ、前記ケースのカプラ受け部内に配置されるターミナルとを備えたモータの給電部構造において、前記ブラシホルダは、ブラシを保持するホルダ本体と、前記ターミナルを前記カプラ受け部内に配置する端子保持部とを有し、前記ホルダ本体を前記ヨークと前記ケースとの間に挾持固定したことを特徴とする。
【０００８】
請求項２の発明は、請求項１記載のモータの給電部構造であって、前記ブラシホルダの端子保持部に係止部を形成し、この係止部を前記ケースのカプラ受け部の係合部に係止したことを特徴とする。
【０００９】
請求項３の発明は、請求項１ないし２記載のモータの給電構部造であって、前記端子保持部に支持されたターミナルの前記ケースのカプラ受け部の底部側を前記ブラシホルダの端子保持部の端面より外側に露出させ、このターミナルの露出部を前記ケースのカプラ受け部の底部に当接したことを特徴とする。
【発明の効果】
【００１０】
以上説明したように、請求項１の発明によれば、ブラシホルダは、ブラシを保持するホルダ本体と、ターミナルをカプラ受け部内に配置する端子保持部とを有し、ホルダ本体をヨークとケースとの間に挾持固定したことにより、ブラシホルダをヨークに簡単に組み付けて固定することができる。
【００１１】
請求項２の発明によれば、ブラシホルダの端子保持部に係止部を形成し、この係止部をケースのカプラ受け部の係合部に係止したことにより、ケースのカプラ受け部にブラシホルダの端子保持部を簡単に係止して固定することができる。
【００１２】
請求項３の発明によれば、端子保持部に支持されたターミナルのケースのカプラ受け部の底部側をブラシホルダの端子保持部の端面より外側に露出させ、このターミナルの露出部をケースのカプラ受け部の底部に当接したことにより、ケースのカプラ受け部内に給電用の相手カプラを差し込んで嵌合する際に、その負荷をカプラ受け部で受けることができるため、相手カプラの差し込み時の応力の影響をターミナルが受けることがない。
【発明を実施するための最良の形態】
【００１３】
以下、本発明の一実施形態を図面に基づいて説明する。
【００１４】
図１は本発明の一実施形態のモータを示す断面図、図２は同モータの分解斜視図、図３は同モータの要部の拡大分解斜視図、図４は同モータをカバー側から見た分解斜視図、図５は同モータの分解側面図、図６は同モータに用いられるカバーの背面図、図７は図６中Ｘ−Ｘ線に沿う断面図である。
【００１５】
図１，図２，図４，図５に示すように、モータ１０は、両端側が開口した金属製で円筒状のヨーク１１と、このヨーク１１の一端１１ａ側の開口部１１ｂに加締め固定される合成樹脂製のキャップ１３と、ヨーク１１の他端１１ｃ側の開口部１１ｄに加締め固定される合成樹脂製で箱形のカバー（ケース）１５と、これらヨーク１１の他端（開口端）１１ｃとカバー１５との間に挾持固定される合成樹脂製のブラシホルダ３０とを備えており、例えば、車両のシートをスライドさせるシートスライド機構の駆動源として用いられるものである。
【００１６】
図１，図４に示すように、円筒状のヨーク１１の内周面１１ｅには、一対のマグネット（磁石）１２，１２が接着剤等を介して固着されている。また、キャップ１３の中央には円形の貫通孔１３ａを形成してあり、その周りの円筒部１３ｂの内側には軸受１４を配設してある。さらに、カバー１５の中央には円形の貫通孔１５ａを形成してあり、その周りの円筒部１５ｂの内側には軸受１９を嵌合してある。そして、この一対の軸受１４，１９には、両側出力軸タイプのアーマチュア軸２０の両端２０ａ，２０ｂを回転自在に支持してある。また、このアーマチュア軸２０の両端２０ａ，２０ｂの各端面の中央には角穴２０ｃをそれぞれ形成してある。この各角穴２０ｃには図示しないシートスライド機構の棒状のケーブル等が連結されるようになっている。
【００１７】
また、図１，図４に示すように、アーマチュア軸２０の一対のマグネット１２，１２に対向する位置には、アーマチュア２１が取り付けられている。このアーマチュア２１は、アーマチュア軸２０に固定され、所定のスロット数のコイル巻回部２２ａを持つアーマチュアコア２２と、このアーマチュアコア２２のコイル巻回部２２ａに巻き回されたアーマチュアコイル２３とで構成されている。さらに、アーマチュア軸２０のヨーク１１の他端１１ｃ側の開口部１１ｄに対向する位置には、コンミュテータ２４が固定されている。このコンミュテータ２４は、アーマチュアコア２２のコイル巻回部２２ａと同数のコンミュテータ片２４ａを備えている。この各コンミュテータ片２４ａとアーマチュアコイル２３の一端２３ａとはコンミュテータ片２４ａに形成された爪２４ｂによりヒュージングの方法で、電気的にそれぞれ接続されている。尚、図１に示すように、アーマチュア軸２０の一端２０ａの軸受１４とアーマチュアコア２２のコイル巻回部２２ａとの間にはワッシャ２５とカラースリーブ２６を介在してある。また、アーマチュア軸２０の他端２０ｂの軸受１９とストップリング２７との間にはワッシャ２８と円環状の弾性体２９を介在してある。
【００１８】
図１〜図５に示すように、ヨーク１１の他端１１ｃに加締めにより固定されるカバー１５内には合成樹脂製で略円板状のブラシホルダ３０が収納されるようになっている。このカバー１５は、図１〜図７に示すように、ブラシホルダ３０を収納する円筒部１６と、この円筒部１６の上部に一体突出形成され、給電用の相手カプラ４０が嵌合される四角筒状のカプラ受け部１７と、これら円筒部１６とカプラ受け部１７の底部を成す底壁部１８とで箱形に形成されている。そして、カバー１５の円筒部１６の底壁部１８の中央に円形の貫通孔１５ａを形成してある。また、カバー１５の円筒部１６の両外側には上下各一対の段差部１６ａ，１６ｂを形成してある。この上下各一対の段差部１６ａ，１６ｂには、ヨーク１１の他端１１ｃの両側に形成された上下各一対の加締め片部１１ｇ，１１ｈが加締められて係止されるようになっている。これにより、カバー１５はブラシホルダ３０を収納・挾持してヨーク１１の他端１１ｃに固定されるようになっている。
【００１９】
さらに、図２，図３，図６，図７に示すように、カバー１５の円筒部１６の内周面（内面）１６ｃの相対向する位置にはブラシホルダ３０の両側の周縁部３１ｃ，３１ｃを当接させる一対の当接部１６ｄ，１６ｄを一体突出形成してある。この各当接部１６ｄの中央には凹部１６ｅを形成してあると共に、該凹部１６ｅの中央にはリブ（梁部）１６ｆを一体形成してある。
【００２０】
図１〜図５に示すように、ブラシホルダ３０は、一対のブラシ３５，３５を保持する略円板状のホルダ本体３１と、このホルダ本体３１の上部に一体突出形成され、一対のターミナル（給電用端子）３６，３６をカプラ受け部１７内に配置する側面Ｌ字状の端子保持部３２とを備えている。このブラシホルダ３０のホルダ本体３１の中央には円形の貫通孔３１ａを形成してある。このホルダ本体３１の貫通孔３１ａの相対向する位置の左右両側には、箱状の一対のブラシ収納部３１ｂ，３１ｂを形成してある。この各ブラシ収納部３１ｂ内にはブラシ３５を出没自在に収納していて、該ブラシ３５は図示しない捩りコイルバネ（付勢手段）によりコンミュテータ２４のコンミュテータ片２４ａに接触するように押圧付勢されている。また、ブラシホルダ３０のホルダ本体３１の一対のブラシ収納部３１ｂ，３１ｂの外側には舌片状で一対の周縁部３１ｃ，３１ｃをそれぞれ一体突出形成してある。この一対の周縁部３１ｃ，３１ｃはカバー１５の円筒部１６の内周面１６ｃに形成された一対の当接部１６ｄ，１６ｄに当接するようになっている。
【００２１】
さらに、図１〜図５に示すように、ブラシホルダ３０のホルダ本体３１の下部には一対の突出片３１ｄ，３１ｄを一体突出形成してある。この一対の突出片３１ｄ，３１ｄはヨーク１１の他端１１ｃ下側とカバー１５の円筒部１６の端部１６ｇに挾持されるようになっていると共に、該一対の突出片３１ｄ，３１ｄはカバー１５の円筒部１６の端部１６ｇの突部１６ｈに挾持されて位置決めされるようになっている。これにより、ホルダ本体３１はヨーク１１の他端１１ｃとカバー１５の円筒部１６の端部１６ｇとの間に挾持されて固定されるようになっている。さらに、ブラシホルダ３０のホルダ本体３１の上部にはサーキットブレーカ３８を収納する筒部３１ｅを一体突出形成してあると共に、その上部には平面台形状の突出片３１ｆを一体突出形成してある。この突出片３１ｆはヨーク１１の他端１１ｃの上側に形成された凹部１１ｉに嵌合するようになっている。
【００２２】
また、ブラシホルダ３０の端子保持部３２は、カプラ載置部３２ａと該カプラ載置部３２ａの後端より上方に垂直に突出した起立部３２ｂとで側面Ｌ字形に形成してある。この端子保持部３２のカプラ載置部３２ａ上の両側には相手カプラ４０をスライドさせる一対の突出部３２ｃ，３２ｃを一体突出形成してある。また、端子保持部３２の起立部３２ｂには給電用の一対のターミナル３６，３６の各先端部３６ａが背後から貫通して伸びるように配設してある。この端子保持部３２の起立部３２ｂに支持された各ターミナル３６の中途部３６ｂと基部３６ｃ及び基端部３６ｄは、それぞれ折り曲げ形成されて該端子保持部３２の起立部３２ｂの背面（端面）３２ｄとカプラ載置部３２ａの裏面及びホルダ本体３１に配設されている。そして、ターミナル３０の中途部３６ｂは、端子保持部３２の起立部３２ｂに直角方向に起立して配設され、その一部が端子保持部３２の背面（端面）３２ｄより露出している。このターミナル３６，３６のブラシホルダ３０は、ターミナル３６，３６に嵌合したホルダ本体３１に設けた突起３１ｇを熱加締めすることで、ブラシホルダ３０に固定される。また、ターミナルをブラシホルダに固定する際、インサート成形することでも可能である。そして、図１に示すように、各ターミナル３６の端子保持部３２の起立部３２ｂの背面３２ｄより外側に露出した中途部３６ｂは、カバー１５のカプラ受け部１７の底壁部１８の凸部１８ａに当接するようになっている。また、図４に示すように、各ターミナル３６の基端部３６ｄは、各ブラシ収納部３１ｂまで延びており、図示しないピグテールワイヤを介して各ブラシ３５に接続されている。これにより、各ターミナル３６を介して各ブラシ３５に電流が供給されるようになっていて、この電流がアーマチュア２１に流れてアーマチュア軸２０が回転するようになっている。尚、一方のターミナル３６はサーキットブレーカ３８を介してブラシ３５に接続してある。
【００２３】
さらに、図１〜図５に示すように、端子保持部３２の起立部３２ｂの上部の中央には係止爪（係止部）３３を一体突出形成してある。この係止爪３３はカバー１５のカプラ受け部１７の矩形状の切欠孔（係合部）１７ａに係止されている。
【００２４】
尚、図１，図２，図４に示すように、ヨーク１１の一端１１ａには所定間隔毎に加締め片部１１ｆを突出形成してある。この各加締め片部１１ｆをキャップ１３の各凹部１３ｃに加締めることにより、ヨーク１１の一端１１ａにキャップ１３が固定されるようになっている。
【００２５】
以上実施形態のモータ１０の給電構部造によれば、カバー１５の円筒部１６及びカプラ受け部１７内にブラシホルダ３０のホルダ本体３１及び端子保持部３２を収納し、カバー１５の円筒部１６の両外側の上下各一対の段差部１６ａ，１６ｂにヨーク１１の他端１１ｃの両側に形成された上下各一対の加締め片部１１ｇ，１１ｈを加締めて係止すると、ブラシホルダ３０のホルダ本体３１の下部の一対の突出片３１ｄ，３１ｄがヨーク１１の他端１１ｃの下側とカバー１５の円筒部１６の端部１６ｇとの間に挾持されると共に、ホルダ本体３１の上部の突出片３１ｆがヨーク１１の他端１１ｃの上側に形成された凹部１１ｉに嵌合する。これにより、ブラシホルダ３０のホルダ本体３１はヨーク１１の他端１１ｃとカバー１５の円筒部１６の端部１６ｇとの間に挾持されて固定される。この際、ブラシホルダ３０のホルダ本体３１の両側の一対の周縁部３１ｃ，３１ｃがカバー１５の円筒部１６の内周面１６ｃの一対の当接部１６ｄ，１６ｄに当接すると共に、ターミナル３６の端子保持部３２の起立部３２ｂの背面３２ｄから外側に露出した中途部３６ｂがカバー１５のカプラ受け部１７の底壁部１８の凸部１８ａに当接する。
【００２６】
このように、ブラシホルダ３０のホルダ本体３１をヨーク１１の他端１１ｃとカバー１５の円筒部１６の端部１６ｇとの間に挾持固定したことにより、ブラシホルダ３０をヨーク１１に簡単に組み付けて固定することができる。
【００２７】
また、ブラシホルダ３０の端子保持部３２に係止爪３３を形成し、この係止爪３３をカバー１５のカプラ受け部１７の切欠孔１７ａに係止したことにより、カバー１５のカプラ受け部１７にブラシホルダ３０の端子保持部３２を簡単に係止して固定することができる。
【００２８】
さらに、端子保持部３２の起立部３２ｂからターミナル３６の中途部３６ｂを露出させ、この露出した中途部３６ｂをカバー１５のカプラ受け部１７の底壁部１８の凸部１８ａに当接したことにより、カバー１５のカプラ受け部１７内に給電用の相手カプラ４０を差し込んで嵌合する際に、その負荷をカプラ受け部１７のみで確実に受けることができる。このため、相手カプラ４０の差し込み時の応力の影響をターミナル３６自身が受けることがない。また、ターミナル３６の中途部３６ｂが起立して端子保持部３２に配設されることで、ブラシホルダ３０の寸法のばらつきに影響されることなく、ターミナル３０の中途部３６ａの露出する部分を確実に形成している。
【００２９】
尚、前記実施形態によれば、モータを車両のシートをスライドさせる駆動源としてのシートモータに適用した場合について説明したが、シートモータ以外の他のモータに前記実施形態を適用しても良いことは勿論である。また、ブラシホルダの端子保持部に係止部としての係止爪を設け、カバーのカプラ受け部に係止爪が係止される係合部としての切欠孔を設けたが、係止爪の代わりに例えば係止凸部を設け、切欠孔の代わりに例えば係合凹部を設けても良い。
【図面の簡単な説明】
【００３０】
【図１】本発明の一実施形態のモータを示す断面図である。
【図２】上記モータの分解斜視図である。
【図３】上記モータの要部の拡大分解斜視図である。
【図４】上記モータをカバー側から見た分解斜視図である。
【図５】上記モータの分解側面図である。
【図６】上記モータに用いられるカバーの背面図である。
【図７】図６中Ｘ−Ｘ線に沿う断面図である。
【図８】従来のモータの平面図である。
【図９】上記従来のモータのケースにブラシホルダを取り付けた状態を示す正面図である。
【図１０】上記従来のブラシホルダを一部断面で示す側面図である。
【符号の説明】
【００３１】
１０  モータ
１１  ヨーク
１１ｃ  他端（開口端）
１１ｅ  内周面
１２  磁石
１５  カバー（ケース）
１７  カプラ受け部
１７ａ  切欠孔（係合部）
１８  底壁部（底部）
１８ａ  凸部（底部）
３０  ブラシホルダ
３１  ホルダ本体
３２  端子保持部
３３  係止爪（係止部）
３５  ブラシ
３６  ターミナル
３６ｂ  中途部（露出部）
４０  相手カプラ
【図１】
2007252105.tif 000003
【図２】
2007252105.tif 000004
【図３】
2007252105.tif 000005
【図４】
2007252105.tif 000006
【図５】
2007252105.tif 000007
【図６】
2007252105.tif 000008
【図７】
2007252105.tif 000009
【図８】
2007252105.tif 000010
【図９】
2007252105.tif 000011
【図１０】
2007252105.tif 000012